(57)【要約】【課題】本願発明の目的は、少なくとも上述した従来技術の不利益点を避け、又は少なくとも改良された特に軍事配備又はＮＢＣ配備に関して適当である化学的且つ生物学的毒素、特にＮＢＣ化学兵器に関して防護機能を有し、製造の簡単さ及び機械的安定度、特に高い破壊抵抗（例えば、点貫通／破壊抵抗）を有する構造の簡単さを結合する飲用容器を提供する。【解決手段】本願発明は、飲用容器が、水不浸透性且つ気体不浸透性、且つ特に戦争兵器等の少なくとも化学的、生物学的毒素に対して不浸透性であり、又はそれらの通過を防止する可撓性積層材料からなる壁部を有し、且つ外側の裏当層とフィルム状（ホイル状）の内側層からなると共に、化学的、生物学的毒素に関して向上され若しくは改良された防護能力を有し、且つ裏当層が織物等によって形成されることによって機械的安定度を有し、前記内側層が少なくとも実質的に同一の広がりをもって前記裏当層上に積層されることにある。【選択図】図１
2006264788.tif 000002
【特許請求の範囲】
【請求項１】
可撓性の積層材料（３）からなる壁部（２）を有する飲用バッグ状の飲用容器（１）であって、前記積層材料（３）が、水不浸透性且つ気体不浸透性であり、化学的及び生物学的毒素、特に戦争用薬品に対して不浸透性であり、外側の裏当層（４）及び薄膜状の内側層（５）からなる飲用容器において、
前記裏当層（４）が織物状であり、且つ
前記内側層（５）が、前記裏当層（４）上に積層されることを特徴とする飲用容器。
【請求項２】
前記内側層（５）は、前記裏当層（４）の全体にわたって被覆されることを特徴とする請求項１記載の飲用容器。
【請求項３】
前記内側層（４）の前記裏当層（４）への積層は、連続する全体的な積層として実行されることを特徴とする請求項１記載の飲用容器。
【請求項４】
前記引用容器（１）は、少なくとも一つの積層材料（３）から形成され、該積層材料（３）は、お互いの内側の縁部に形成される接着領域（６）において、お互いに接着されることで接合されることを特徴とする請求項１〜３のいずれか一つに記載の飲用容器。
【請求項５】
前記飲用容器（１）から液体を取り出すための飲用開口部（７）を有し、前記飲用容器（１）から液体を出し入れするための取出手段（８）が、前記飲用容器（１）に対して前記飲用開口部（７）を介して着脱自在であることを特徴とする請求項１〜４のいずれか一つに記載の飲用容器。
【請求項６】
前記裏当層（４）は、５０ｇ／ｍ２〜５００ｇ／ｍ２の範囲の基本重量及び５０μｍ〜５ｍｍの範囲の厚さを有する織物状の平坦形状又はシート状構造からなることを特徴とする請求項１〜５のいずれか一つに記載の飲用容器。
【請求項７】
前記内側層（５）は、フィルム又はホイルであり、該フィルム又はホイルは、連続的且つ不断であると共に、プラスチック又はポリマーからなり、１μｍ〜２ｍｍの範囲の厚さを有することを特徴とする請求項１〜６のいずれか一つに記載の飲用容器。
【請求項８】
前記内側層（５）は、液体、特に水及び／若しくはエアゾールに対して不浸透性であり、且つ／又は前記内側層（５）は、少なくとも水蒸気不浸透性及び／若しくは気体不浸透性、特に空気不浸透性であることを特徴とする請求項１〜７のいずれか一つに記載の飲用容器。
【請求項９】
前記内側層（５）は、化学的且つ生物学的毒素、特に兵器に対して不浸透性であり、又は少なくともそれらの通過を防止することを特徴とする請求項１〜８のいずれか一つに記載の飲用容器。
【発明の詳細な説明】
【技術分野】
【０００１】
この発明は、ドリンクバッグ形状をした飲用容器に関する。
【背景技術】
【０００２】
人体に接触し、又は人体に吸収された場合に、ひどい肉体的損傷を導く一連の物質が存在する。それらの例は、例えば糜爛性毒ガスのマスタードガス（イエロークロス）及び神経ガスサリン等の化学兵器を含む。そのような毒に接触する又は処理するような人々は、適当な防護処置を介してそれらの毒に対する効果的な防護をしなければならない。
【０００３】
同様に、生物兵器は、そのような物質に接触し処理するような人々に対して大きな潜在的な危険があることを指摘する。
【０００４】
特に両手両足及び胴体等の身体を防護するための適切な防護服が存在する。頭部、特に顔及び気道は、一般的にフード付き又はフードなしの防毒マスクを装着することによって防護される。さらに、手を防護するために、化学的生物学的兵器に関して防護機能を有する特別な防護手袋が存在する。
【０００５】
身体表面及び気道を防護するのと同様に、例えば汚染された食料の摂取を介するように、人体における化学生物学的兵器の可能な摂取を介した汚染を避ける必要がある。これは、高いレベルの肉体的行使が、特に軍事配備において液体の増加する摂取を要求するので、軍事配備において、化学且つ生物学的毒素で汚染された環境、例えば戦場において、一般人及び軍人に、食物、特に液体が供給されなければならない理由である。これに関して、液体、例えば水又は他の飲み物の供給が、供給される人を危険にさらすことなしに達成されること、言い換えると感染されているか汚染されている液体を介して人体に毒が摂取されることを防止することを確実にする必要がある。例えば軍事配備の関係者が、化学生物学的毒素によって汚染されるかもしれない領域から、いつも撤退することができるとはかぎらないので、特に飲料水等の液体である前記領域に搬入されるべき食物が汚染されないことが確保されなければならならず、また液体の供給を保護しなければならない。さらに、安全で確実な液体の摂取は、同様にその分野における展開の間確保されなければならない。
【０００６】
化学生物学的毒素に対して所定のレベルの防護を設ける必要のある軍事又はＮＢＣ展開のための飲用容器を使用することは公知である。
【０００７】
特許文献１は、化学的に硬化された材料から製造されたＮＢＣ防護カバーで全体的に覆われた可撓性の流体容器からなる2つ以上の部分の携帯用飲用流体キャリヤに関する。このような２つの部分からなる飲用容器を製造する方法は、内側流体容器が独立したＮＢＣ防護ハウジングに収納されることが絶対的に必要であることから、相対的に高価で且つ不便であり、且つ取扱いについては実質的に何の意味もない。これは、早くて単純な取扱いが要求されることから、特に軍事配備において不利益があり、且つ特許文献１によって提供される防護レベルでは、液体容器がハウジング内に挿着されるまでが有効でない。
【０００８】
特許文献２は、軍事配備における航空機搭乗員のための水分補給システムに関するもので、この水分補給システムは、液体を保持するように形成された内袋からなり、さらにこの内袋がフッ素加工されたゴム合成物の外層を具備することを開示する。前記内袋の内側層は、熱可塑性ポリマーからなる。この水分補給システムは、内袋の積層されたプラスチック構造の効果によって、特に点貫通／破壊抵抗に関して、すこしの機械的安定度を有する。これは、安定化構造の欠如が、内袋が点負荷、特に尖った又は鋭い物品によって刺し貫くことに対する少しの抵抗を有することを意味する理由である。前記水分補給システムは、特に減圧が生じた場合に起こるような広い範囲に基づく負荷に対して適していることのみが必要であることにおいて、航空機において使用されるのに最も適している。しかしながら、この分野、特に先頭領域での使用に関して、このシステムは、まさに良好な機械的安定性を有しておらず、特に高い点貫通／破壊抵抗を有していないと同時に、尖った又は鋭い物品、角、縁等を押しとどめることが要求されるので、不適当である。
【特許文献１】ＷＯ  ２００５／０１１４３７Ａ１
【特許文献２】ＵＳ  ２００２／０１７９６４７Ａ１
【発明の開示】
【発明が解決しようとする課題】
【０００９】
したがって、本願発明の目的は、少なくとも上述した従来技術の不利益点を避け、又は少なくとも改良された特に軍事配備又はＮＢＣ配備に関して適当である化学的且つ生物学的毒素に関して防護機能を有する飲用バッグ形状の飲用容器を提供すことにある。
【００１０】
さらに、本願発明の目的は、少なくとも上述した従来技術の不利益点を避け、又は少なくとも改良された特に軍事配備又はＮＢＣ配備に関して適当である化学的且つ生物学的毒素、特にＮＢＣ化学兵器に関して防護機能を有し、製造の簡単さ及び機械的安定度、特に高い破壊抵抗（例えば、点貫通／破壊抵抗）を有する構造の簡単さを結合する飲用容器を提供することにある。
【課題を解決するための手段】
【００１１】
この目的は、請求項１に記載された飲用バック形状の飲用容器による本願発明によって達成される。さらに、本願発明の飲用容器の利益的な具体例は、従属クレームの主題を形成する。
【００１２】
本願発明の基本的な概念は、飲用容器が、水不浸透性且つ気体不浸透性、且つ特に戦争兵器等の少なくとも化学的、生物学的毒素に対して不浸透性であり、又はそれらの通過を防止する可撓性積層材料からなる壁部を有し、且つ外側の裏当層とフィルム状（ホイル状）の内側層からなると共に、化学的、生物学的毒素に関して向上され若しくは改良された防護能力を有し、且つ裏当層が織物等によって形成されることによって機械的安定度を有し、前記内側層が少なくとも実質的に同一の広がりをもって前記裏当層上に積層されることにある。尚、積層に関する「同一の広がり」という文言は、連続して全体にわたる積層、言い換えると２つの材料部材の全表面にわたる積層を意味する。
【００１３】
織物状の裏当層及びそこに積層される内側層を特徴とする前記積層材料の特異的な構造は、外側の裏当層を通過することに成功した化学的且つ生物学的毒素、例えば化学兵器又はＮＢＣ兵器が、内側層のブロック機能によって、本願発明の飲用容器の内側に浸透することを効果的に防止することを確実にする。言い換えると、本願発明の飲用バックは、化学的且つ生物学的毒素に関して高いバリヤ効果を有する。さらに、積層材料の織物状の裏当層は、本願発明の飲用容器に、−特に改善された点貫通／破壊抵抗に関して−顕著な安定性を与えるので、本願発明の飲用容器は、特に軍事領域又は戦闘領域での使用に特に適している。
【００１４】
さらに、本願発明の飲用容器は、良好なＮＢＣ防護性と共に、高い機械的安定度、特に点貫通／破壊抵抗を有し、且つ製造の容易さを有する。
【００１５】
本願発明の目的に関して、「内側」という文言は、飲用容器の所定の領域、飲用容器の壁部の所定の領域、又は液体を収納する飲用容器の内部に面する飲用容器の積層材料の所定の領域を意味する。言い換えると、それは、満たされた状態において、前記飲用容器に収容された液体に面するか又は接触する領域を意味する。
【００１６】
さらに、本願発明の目的に関して、「外側」という文言は、飲用容器の所定の領域、飲用容器の壁部の所定の領域、又は飲用容器の外側に設けられる飲用容器の積層材料の所定の領域を意味する。このように、それは、外部環境に直接接触し、飲用容器内に収容された液体に接触しない領域を意味する。
【００１７】
（例えば、繊維の当面積片における）「当面積」という文言は、本願発明の内容において、形状及び／若しくは大きさに関して少しの相違が可能であるが、少なくとも実質的に同一の面積を有することを意味する。（例えば、繊維の一致する片における）「一致する」という文言は、実質的に同一の面積であること及び／若しくは少なくとも同一の形状をしていることを意味すると理解されるべきである。
【００１８】
（例えば、食物和合性の内側層における）「食物和合性」という文言は、本願発明の内容において、使用される材料が、特に接触する食物に対して少なくとも実質的に不活性であるということを意味するものとして理解されるべきである。言い換えると、液体に接触する飲用容器の構成要素の材料は、第１に、液体が、例えば臭いの損失のあるなしの蒸発に対して防護され、第２に、使用される材料から収容される液体への有害な物質の放出が避けられることが、本発明の内容において選択されるべきである。例えば、染料、可塑剤等が、特に放出されるべきではない。
【００１９】
最後に、本願発明の目的に関して、「積層」は、適当な積層剤の使用のあるなしで、同一又は異なる材料の２つ以上の層を共に接着すること（例えば、内側層及び裏当層のお互いの接着）を意味するものとして理解されるべきである。本願発明の目的に関して有益な積層剤は、例えば、ホットメルト、ワックス、ポリエチレン化合物、反応性樹脂、天然又は合成ラテックス製品のような積層するために適当な接着剤を含有する。積層することは、例えば、ローラ、ロール、カレンダー等によって及ぼされるような接触圧下で、お互いに結合されて積層されるべき材料によって達成される。前記積層剤は、熱粘着性材料の場合、多分不必要である。この点における所見は、ロンプケミエレクシコン、第１０版、第３巻、１９９７年、ジョルグ  ティーム  ヴェルラッグ、スタットガルト／ニューヨーク、２０８８頁、表題「積層」及びそこに引用された文献を参照してもらいたい。
【００２０】
本願発明のさらなる利点、特質、様相及び特徴は、添付図面において示された好ましい実施例についての下記する記載から明らかになるであろう。
【発明を実施するための最良の形態】
【００２１】
以下、この発明の実施例について図面により説明する。
【実施例１】
【００２２】
図１は、本願発明の係る飲用容器１、特に壁部２を有する飲用バッグの形の飲用容器１を示す。飲用バッグの形状の飲用容器１の壁部２は、図２の断面で示されるように、可撓性積層材料３からなる。前記積層材料３は、水不浸透性且つ気体不浸透性であり、特に戦争兵器である化学的生物学的毒素に対して、少なくとも実質的に不浸透性であるか、又は少なくともそれらの通過を防止するように形成されたものである。
【００２３】
さらに、図２に示されるように、前記積層材料３は、外側の裏当層４と、ホイル状（フィルム状）の内側層５を有する。本願発明によれば、前記裏当層４は、織物状である。さらに本願発明によれば、前記内側層５は、前記裏当層４に積層される。一般的に、その積層は、図２に示すように、少なくとも実質的に同一の広がりをもつことで達成される。これは、内側層５が、前記裏当層４条に少なくとも実質的に同一の広がりをもって積層されること（例えば、２つの材料片の全表面にわって連続して全体的に積層されること）を意味する。
【００２４】
前記裏当層４及び内側層５の同一の広がりをもつ又は全体にわたる積層は、通常の方法、特に上述したような適当な積層剤（例えば一般的な接着剤）を用いることによって達成される。しかしながら、本願発明に寄れば、前記内側層５が熱粘着性を有する時には、積層剤を省略することも可能である。
【００２５】
織物状の裏当層４及び内側層５を有する上述した積層材料３を使用することによって、それから製造される飲用容器１は、化学的生物学的毒素に対する高い防護能力を具備する。織物状の裏当層４及び内側層５の特別な組み合わせは、本願発明の飲用容器１に、特に点又は点状負荷及びこれによるその点貫通／破壊抵抗に対するその安定性に関して、特別に高い機械的安定度を与える。言い換えると、本願発明の飲用容器１が、一方で化学的生物学的毒素に対する高い防護、他方で高い機械的安定度を有する利点を組み合わせているので、本願発明に係る飲用容器１は、軍事的展開、特に兵士へ液体を供給するために非常に有益であり、且つ従来のものに比べて非常に簡単な構造を有すると共に、容易に製造することができるものである。
【００２６】
図３（ａ），（ｂ）は、本願発明の飲用容器１の簡単な構造を図示したものである。例えば、前記飲用容器１は、図３（ａ）で示すように、一枚のシート状片の積層材料３から製造される。別の例では、前記飲用容器１は、図３（ｂ）で示すように、複数、好ましくは２枚のシート状片の積層材料３から製造される。
【００２７】
図３（ａ）は、さらに一枚のシート状片の前記積層材料３の施工を示している。前記一枚のシート状片の積層材料３は、少なくとも実質的に左右対称形状であり、特にシート状片に沿った軸Ａに対して略対称形状をしている。
【００２８】
本願発明の係る図３（ｂ）の二枚施工に関して、それぞれのシート状片は、当面積であり、好ましくは同一形状であることが望ましい。これは、唯一のブランク形状が、飲用容器１の製造に使用されなければならないので、かなり製造を簡略化できる。一般的に、このシート状ブランクは、少なくとも実質的に方形形状を有する。しかし同様な他の形状は、例えはアーチ状の縁取り等を有するものも同様に実現化可能である。
【００２９】
さらに図３（ａ），（ｂ）に示されるように、シート状片の積層材料３は、内側層４に形成されることが望ましい接着領域６を有する。この接着領域６は、特にシート状片の積層材料３に関して縁側に設けられ、飲用容器１に関して内側表面に共に接着される。シート状片の積層材料３の接着は、好ましくは前記内側表面に重ねられる内側層５のそれぞれの接着領域６によってお互いにしっかりと接着されるものである。
【００３０】
図３（ａ）に示される実施例によって、一枚のシート状片の積層材料３を使用して得られる飲用容器１は、少なくとも実質的に一体成形物である。このように用いられたシート状片の積層材料３は、軸Ａに沿って折り曲げられることが好ましく、これによって、好ましくはそれぞれの内側層５の折り返し部分の内側表面が重ねられ、前記積層材料３の接着領域６が、特に溶接又は接着剤によってお互いに接着される。これは、図３（ｂ）の二枚の片でも同様に実行される。
【００３１】
積層材料３の接着、特に内側層５の接着領域６又は内側層５の接着は、通常の方法において達成される。溶接は、積層材料３、特に内側層５が溶接可能、例えば熱可塑性樹脂又は熱可塑性的に溶接可能であるとき、選択可能である。前記接着領域６は、以下に記載されるように、適当な接着剤を使用してお互いに接着される。
【００３２】
前記接着領域６の接着は、例えば熱可塑性接着剤、特にホットメルト接着剤、好ましくはポリウレタン、ポリアミド、ポリエステル又は反応性ホットメルト、又は湿分及び／若しくは放射線硬化ホットメルトを使用することができる。不溶解性であり、且つ食物親和性の接着剤を使用することが好ましい。前記接着又は溶接は、熱入力、高周波照射及び超音波入力によって達成される。
【００３３】
この発明によれば、接着領域６の接着又は溶接は、前記積層材料３のシート状片の縁に沿って達成されることが好ましく、その結果として、飲用容器１に関して収容される液体の量を大きくすることができるものである。その結果は、図１に示されるように、飲用容器１のバッグのような形状を生じる。
【００３４】
上述されたように、前記接着領域６は、図３（ａ），（ｂ）からわかるように、内側層５の縁領域によって形成される。
【００３５】
本願発明によれば、接着領域６の接着は、複数の相互に補強する接着の形式によって達成される。さらに、前記接着は、その外側又は内側から前記接着領域を覆い、且つ好ましくは前記裏当層４の側部に装着される縁帯で補強されることが望ましい。
【００３６】
本願発明の飲用容器１は、図１からわかるように、飲用開口部７を有する。前記飲用開口部７は、特に飲用容器１から液体を取り出すために使用される。同様に、それは、飲用容器１内に液体を満たす時にも使用される。
【００３７】
図３（ａ），（ｂ）は、前記飲用開口部７が、前記接着領域６において適当に中断されることによって形成されることを示している。本発明によれば、単一のシート状片の積層材料３が飲用容器１を製造するために使用されるならば、前記飲用開口部７又は飲用開口部７を形成するための接着領域６の中断が、軸Ａの反対側のシート状片の縁部に設けられることが可能である。しかし、図３（ａ）で示されるように、飲用開口部７が、軸Ａに関して垂直な軌跡を有する縁部に設けられることも可能である。
【００３８】
同様に、本願発明によれば、飲用容器１が、取出手段８が接続され又は接続可能である積層材料７の開口部によって形成されることも可能である。この場合、前記接着領域６は、一体であり又は連続するように形成される。
【００３９】
また、本願発明の実施例によれば、飲用容器１は、さらに再封止可能であり、且つ／又は飲用容器１を満たすための第２の開口部（図示せず）を有することが好ましい。この第２の開口部は、本願発明によれば、単純な方法で前記飲用容器１を満たすことを可能にする。さらに、第２の開口部の存在は、飲用容器１のより良い洗浄を可能にするので、飲用容器１の再利用性に関して大きな利点を生じる。
【００４０】
図１に示されるように、飲用容器１は、飲用容器１から液体を取り出すための取出手段８を有することが好ましい。前記取出手段８は、前記飲用開口部７を介して接続されるか又は接続可能である。前記飲用開口部７と前記取出手段との間の移行部分は、上述した意味において封止される。言い換えると、前記移行部分は、溶接又は接着されることが望ましい。本発明によれば、前記取出手段８は、前記飲用開口部７に圧入され、さらに適当なシーラントによって封止されることが好ましい。
【００４１】
さらに、図１に示されるように、取出手段８は、ホース状又はチューブ上であることが好ましい。本発明によれば、前記取出手段８が、前記飲用容器１の内部空間方向に前記飲用開口部７を通過して延出することができるので、液体の充填レベルが低い場合でも、飲用容器１から液体を取り出すことができるものである。同様に、本願発明によれば、前記取出手段８が、前記飲用開口部７と反対側の量的限界、いわゆる飲用容器１の「底部」まで延出することができるものである。
【００４２】
前記取出手段８は、例えば可撓性ホース又はチューブであることが好ましい。前記取出手段８は、プラスチック又はポリマーからなることが好ましく、この場合、前記取出手段８は、同様にガス又は空気不浸透性であり、水不浸透性であり且つ化学的及び生物学的毒素に対して不浸透性を有するものである。特に、前記取出手段８が、好ましくはハロゲンかされたブチルゴムからなることが好ましい。
【００４３】
前記取出手段８は、飲用容器１に一度だけ接続されるか、又は交換可能であることが好ましく、飲用開口部７に一度だけ挿入され、使用後は廃棄される使い捨て品のようなものであることが好ましい。
【００４４】
図１に示されるように、前記取出手段８は、再封止可能であり、この場合、特に蓋９、蝶番蓋、弁等を用いることができる。しかしながら、本願発明によって使用される封止手段としては限定されるものではないが、捩り封止、ホースクランプ等がある。
【００４５】
前記取出手段８は、防毒マスクと合致するように、利益的に具体化され、特に、防毒マスクに設けられた受領開口部に挿入され固定されるので、防毒マスクの装着時においても、飲用容器１から液体を吸い出すことが可能となる。
【００４６】
特別な例によれば、前記取出手段８は、耐炎性であること、言い換えると耐炎性を有するもの、特に熱耐性材料及び／若しくは炎耐性材料からなることが好ましい。この特別な例において、前記飲用容器１が、全体的に耐炎性を有することが好ましい。これによって、極限状態（例えば、消防活動又は火災現場にとどまるような状態）で使用することが可能となる。
【００４７】
前記積層材料３の裏当層４は、織物シート状構造として形成されることが好ましい。特に、前記裏当層４は、織布、ニット、けん縮又は不織布、又は織物合成物のような織物であることが好ましい。さらには、前記裏当層４は、ポリエステル、ポリアミド、コットン及び／若しくはメタ−アラミド繊維からなる織物シート状構造であることが好ましい。コットン繊維からなる織物シート状構造は、コットンの純正繊維を使用しても、他の繊維とブレンドしても用いることもできる。
【００４８】
特に、前記裏当層４は、５０ｇ／ｍ２〜５００ｇ／ｍ２の範囲、特に１００ｇ／ｍ２〜３００ｇ／ｍ２の範囲、好ましくは１４０ｇ／ｍ２〜２８０ｇ／ｍ２の範囲の基礎重量（例えば単位面積当たりの重量）を有するものである。
【００４９】
前記裏当層４の厚さは、５０μｍ〜５ｍｍの範囲内、特に１００μｍ〜３ｍｍの範囲内、好ましくは２５０μｍ〜２ｍｍの範囲内、より好ましくは３００μｍ〜１ｍｍの範囲内、最も好ましくは４００μｍ〜０．５ｍｍの範囲内であることが好ましい。
【００５０】
さらに、化学的生物学的毒素（例えば戦争兵器の濃縮滴剤）の浸透に耐えるため、且つこれによる内側層５のバリヤ機能を増大させるために、適当ならば、裏当層４の材質を、特に所定の含浸処理又はコーティングを介して、親油処理及び／若しくは疎水処理することが望ましい。
【００５１】
前記積層材料３の内側層５は、フィルム（言い換えると、ホイル）として形成されることが好ましい。本願発明によれば、前記内側層５は、連続した一体のフィルム又はホイルであることが好ましい。特に、内側層５は、フィルム又はホイルとして、特にプラスチック及び／若しくはポリマーフィルム又はホイルとして構成されることが望ましく、またこれに代わるものとして、金属フィルム又はホイルとして構成されることが好ましい。
【００５２】
さらに、前記内側層５は、少なくとも実質的に、液体、特に水に対して不透過性であり、且つエアゾールに対しても不透過性であるように構成される。さらにまた、前記内側層５は、少なくとも実質的に、水蒸気不透過性又は気体不透過性、特に空気不透過性であるように構成されることが好ましい。前記内側層５のこれらの特性によって、本願発明は、本願発明の飲用容器１が、収容される液体に関して良好な漏れ止め性を有し、特に飲用容器１からの液体の蒸発を、少なくとも実質的に避けることができるものである。一方で、内側層５は、同様に、化学的又は生物学的毒素が、前記飲用容器１の内部容積に侵入するのを防止することができるので、そこに収容される液体は、それらの物質に対して効果的に防護されるものである。
【００５３】
言い換えると、前記内側層５は、少なくとも実質的に化学的生物学的毒素、特に化学又は生物兵器に対して不浸透性であり、また少なくともそれらの通過を阻止するものである。
【００５４】
さらに、前記内側層５の特性に関して、それは、例えば熱可塑性物質である。例えば、内側層５は、熱粘着性又は溶接性を有する。これは、付加的な接着剤の必要なしに、上記に記載した方法において前記裏当層４上に、内側層５を積層させることができる。内側層５の熱可塑性又は熱粘着性又は溶接性特質によって、前記裏当層４及び内側層５の間の効果的な耐久性のあるシート状の接着が達成され、層間剥離のリスクをはっきりと減少させることができる。
【００５５】
前記内側層５は、１μｍ〜２ｍｍの範囲内、特に１μｍ〜１ｍｍの範囲内、好ましくは５μｍ〜０．５ｍｍの範囲内、より好ましくは５μｍ〜１００μｍの範囲内の厚さを有することが好ましい。
【００５６】
前記内側層５は、例えばプラスチック、又はポリマー、又はポリマー材料からなることが好ましい。そのようなプラスチック又はポリマーは、例えばポリウレタン、ポリアミド、ポリエチルアミド、ポリエステル、ポリエステルアミド、ポリテトラフルオロエチレン、ポリ塩化ビニリデン（ＰＶＤＣ）及びポリオレフィン、特にポリエチレン及びポリプロピレン、及びその誘導体の群から適当に選択されることが好ましい。本発明によれば、前記プラスチック及び／若しくはポリマーが、ポリアミド及びポリエステルから選択されることが好ましく、特にポリエステルであることが好ましい。
【００５７】
本願発明によれば、内側層５は、ポリアミドフィルム又はポリエステルフィルムであることが好ましく、特にポリエステルフィルムであることが好ましい。
【００５８】
本発明の例によれば、前記内側層５は、薄膜（例えば、薄膜状フィルム）として形成されることが好ましい。
【００５９】
前記内側層５に使用されるプラスチック又はポリマーに関して、プラスチック又はポリマーは、本願発明の上述した意味において食物親和性を有するべきである。
【００６０】
さらに別の例によれば、前記内側層５は、金属フィルム（言い換えると金属ホイル）からなることが好ましく、この場合、そのような金属フィルムは、食物分野において適正であり、且つ上述した意味において、食物親和性を有する。適当な合金が、これに関して使用可能である。
【００６１】
同様に、少なくとも一つのプラスチック又ポリマーフィルムを有する少なくとも一つの金属フィルムの組み合わせも可能である。
【００６２】
前記裏当層４及び前記内側層５からなる前記積層材料３の全体的な厚さは、一般的に５０μｍ〜１０ｍｍの範囲内、特には５０μｍ〜５ｍｍの範囲内、好ましくは５０μｍ〜１ｍｍの範囲内、より好ましくは５０μｍ〜０．５ｍｍの範囲内であることが好ましい。
【００６３】
本願発明に係る飲用容器１又は積層材料３の特別な構造は、化学又は生物兵器に対してすばらしいバリヤ効果を提供する。ＣＲＤＥＣ−ＳＰ−８４０１０、方法２．２によって計測される化学兵器、特にビス−［２−クロロエチル］−スルフィド（マスタードガス、Ｈｄ、イエロークロス）に対する飲用容器１又は積層材料３、又は内側層５のバリヤ効果は、４μｇ／ｃｍ２／２４ｈ以下、特には、３．５μｇ／ｃｍ２／２４ｈ以下、好ましくは３．０μｇ／ｃｍ２／２４ｈ以下、より好ましくは２．５μｇ／ｃｍ２／２４ｈ以下の濃度である。
【００６４】
本願発明による特別な構成によれば、本願発明の飲用容器１は、高い安定性又は強度を有することと同時に化学的生物学的兵器に対する防護を提供することに関して重要な利点を有する。本願発明の飲用容器１は、広い範囲の圧力に耐える能力を有するだけでなく、大変高い点貫通／破壊抵抗を所有するので、本願発明の飲用容器１は、高い小範囲圧力負荷にすら耐える能力を有すると同時に、例えば尖った品物の効果的な応用を通して働かせることが可能となるものである。
【００６５】
単一材料における−化学的生物学的兵器に対するバリヤ効果及び高い機械的強度−の特質の結合によって、本願発明の飲用容器１は、軍事配備、特に戦闘地域において兵士に液体を供給するために適している。本願発明の飲用容器１の前述した特質は、積層材料３の特別な構造によって提供される。前記内側層５は、上述した化学的、生物学的毒素に対する高いバリヤ効果を確実にし、さらに、このバリヤ効果は、親油性化又は疎水性化された裏当層４によって増大される。高い機械的抵抗は、裏当層４によって確保され、積層された内側フィルム又はホイルによって付加的に強化されるので、前記裏当層４及び内側層５は、機能的なユニットを形成する。
【００６６】
その高い可撓性能によって、本願発明の飲用容器１は実質的に破裂することがなく、そのバッグ状構造は、本願発明の飲用容器１が、省スペースの方法において保管され、積み重ねられ又は輸送される。
【００６７】
さらに、本願発明は、本願発明の飲用容器１が、良好な汚染除去能力を有することから、再利用可能であり、又はリサイクル可能であるという利点を有する。内側層５の存在は、飲用容器１が汚染除去能力を有し且つ再生可能であることを確実にする。というのは、裏当層４を通過することに成功した毒素が、適当な処理方法（例えばすすぎ落とし）を介して、例えば当業者等にとってこれらの目的のために大変身近である適当な汚染除去溶液で、前記内側層５から再び排除されるからである。
【００６８】
本願発明の飲用容器１は、種々の大きさに作製することが可能であるので、計画された展開に適合させることが可能である。本願発明の飲用容器１の内部容積は、例えば１００ミリリットルから５リットル又はそれ以上にすることが可能である。
【実施例２】
【００６９】
本願発明の実施例２によれば、前記飲用容器１は、図４（ａ），（ｂ）に示されるように、飲用ビーカー形状に形成される。この目的のために、より大きな厚さを有する積層材料３が使用される。図４（ａ）は、積層材料３の少なくとも実質的に方形シート状片が、前記飲用ビーカー状の飲用容器１のための円筒状壁部２を、図４（ｂ）で示すように形成するために使用されることを示している。この飲用ビーカー状の飲用容器１の円筒状壁部２は、前記裏当層４が外側にあり、前記内側層５が内側にあるように形成される。
【００７０】
前記飲用ビーカー状の飲用容器１の円筒状壁部２は、前記内側層５の一方の端部又は縁部が、前記積層材料３の内側層５の他方の端部又は縁部に結合されるように形成される。
【００７１】
図４（ｂ）で示すように、前記飲用ビーカー状の飲用容器１は、円形又は環状であり、上端部を形成し、飲用開口部７又は取出手段８を具備するビーカー蓋部１０を有する。
【００７２】
さらに、前記飲用ビーカー状の飲用容器１は、ビーカー蓋部１０に対応する形状を有するビーカー底部１１を有する。前記ビーカー底部１１は、前記飲用ビーカー状の飲用容器１の下側端部を形成する。
【００７３】
前記ビーカー蓋部１０及びビーカー底部１１は、これらビーカー蓋部１０及びビーカー底部１１の縁部が内側層５によって形成され、前記飲用ビーカー状の飲用容器１の円筒状壁部２の内側層５に、上述したような方法において、例えば接着剤や溶接によって接合される。
【００７４】
前記飲用ビーカー状の飲用容器１は、第２の開口部（図示せず）を有し、この第２の開口部は、飲用容器１を満たすために使用され、且つ再封止可能であることが好ましい。
【００７５】
本願発明の飲用容器１は、通常の方法において製造される。本願発明に係る飲用容器を製造するための方法は下記するものである。前記積層材料３は、例えば、内側層５としての約５μｍ〜１００μｍの厚さの膜を、前記裏当層４上に積層し、前記裏当層４が内側層５を強化し、且つ安定させることによって製造される。続いて、前記積層材料３は、例えば２つの等しい面積のシート状片にカットされ、それぞれの内側層５が、接着剤又は溶接によってお互いに接着されるように、その後お互いに接合される。前記接着領域６は、飲用開口部７を形成するために中断される。さらに、前記接着領域６は、第２の開口部を形成し又は適合させるための中断を有する。前記飲用開口部７は、さらに、接着剤又は溶接によって、飲用開口部の周縁に接着される取出手段８を有する。これによって製造された本願発明の飲用容器１は、その後液体、特に携帯用液体で満たされ、保管され、又は運搬される。
【００７６】
本願発明の飲用容器１は、人々の適当な水分補給を確保する適当な液体、例えば水、フルーツジュース、紅茶飲料水、コーヒー、アイソトニック飲料等で満たされることが好ましい。
【００７７】
本願発明のさらなる工夫、改良及び変更は、本発明の範囲から逸脱することなしに、本明細書を読んだ当業者に自明であり、且つ認識可能である。
【図面の簡単な説明】
【００７８】
【図１】本発明の好ましい実施例１に係る飲用バックの形状の飲用容器の概略図である。
【図２】飲用容器の積層材料を切断した概略図である。
【図３】（ａ）は、飲用容器の一枚壁部又は一枚積層材料の内側面の概略平面図であり、（ｂ）は、別の実施例に係る飲用容器の二枚壁部又は二枚積層材料の内側面の概略平面図である。
【図４】（ａ）は、実施例２に係る飲用ビーカー形状の飲用容器のための壁部の内側表面の概略平面図であり、（ｂ）は、実施例２に係る飲用ビーカー形状の飲用容器の概略図である。
【符号の説明】
【００７９】
１  飲用容器
２  壁部
３  積層材料
４  裏当層
５  内側層
６  接着領域
７  飲用開口部
８  取出手段
１０  蓋部
１１  底部
【図１】
2006264788.tif 000003
【図２】
2006264788.tif 000004
【図３】
2006264788.tif 000005
【図４】
2006264788.tif 000006